【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
画面上に表示されている３次元空間の中で若しくは３次元画像に対してポインタ又はカーソルを３次元的に移動させるための３次元ポインティング装置であって、
（１）ユーザーに近い側に位置する第１の面又は層上において「ユーザーによる押圧の力」が加えられたことを検出するための第１の押圧検出手段と、
（２）前記第１の面又は層と略平行で且つ前記第１の面又は層よりも所定距離だけユーザーから離れる側もしくは装置の内部側に位置する第２の面又は層上において前記「ユーザーによる押圧の力」が加えられたことを、前記第１の押圧検出手段による検出とは独立に、検出するための第２の押圧検出手段と、
（３）前記第１の押圧検出手段及び前記第２の押圧検出手段が共に前記「ユーザーによる押圧の力」が加えられたことを検出したとき、前記第１及び第２の押圧検出手段からの出力に基づいて、画面上に表示されている３次元空間の中で若しくは３次元画像に対してポインタ又はカーソルを画面の奥行き方向又は斜め奥行き方向へ移動させるなど、ポインタ又はカーソルを３次元的に移動させるためのポインタ制御手段と、
を備えたことを特徴とする、３次元ポインティング装置。
【請求項２】
画面上に表示されている３次元空間の中で若しくは３次元画像に対してポインタ又はカーソルを３次元的に移動させるための３次元ポインティング装置であって、
（１）ユーザーに近い側に位置する第１の面又は層上において「ユーザーによる押圧の力」が加えられたことを検出するための第１の押圧検出手段と、
（２）前記第１の面又は層と略平行で且つ前記第１の面又は層よりも所定距離だけユーザーから離れる側もしくは装置の内部側に位置する第２の面又は層上において前記「ユーザーによる押圧の力」が加えられたことを、前記第１の押圧検出手段による検出とは独立に検出するための第２の押圧検出手段と、
（３）前記第１の押圧検出手段が前記「ユーザーによる押圧の力」が加えられたことを検出したが前記第２の押圧検出手段は前記「ユーザーによる押圧の力」が加えられたことを検出していないとき、少なくとも前記第１の押圧検出手段からの出力に基づいて、ポインタ又はカーソルを画面上で２次元的に移動させるための第１の制御手段と、
（４）前記第１の押圧検出手段及び前記第２の押圧検出手段が共に前記「ユーザーによる押圧の力」が加えられたことを検出したとき、前記第１及び第２の押圧検出手段からの出力に基づいて、画面上に表示されている３次元空間の中で若しくは３次元画像に対してポインタ又はカーソルを画面の奥行き方向又は斜め奥行き方向へ移動させるなど、ポインタ又はカーソルを３次元的に移動させるための第２の制御手段と、
を備えたことを特徴とする、３次元ポインティング装置。
【請求項３】
画面上に表示されている３次元空間の中で若しくは３次元画像に対してポインタ又はカーソルを３次元的に移動させるための３次元ポインティング装置であって、
（１）ユーザーに近い側に位置する第１の面又は層上において「ユーザーによる押圧の力」が加えられている位置を検出するための第１の押圧位置検出手段と、
（２）前記第１の面又は層と略平行で且つ前記第１の面又は層よりも所定距離だけユーザーから離れる側もしくは装置の内部側に位置する第２の面又は層上において、前記「ユーザーによる押圧の力」が加えられている位置であって少なくとも前記第１の押圧位置検出手段により検出された押圧位置と異なる押圧位置を検出可能な第２の押圧位置検出手段と、
（３）前記第１の押圧位置検出手段及び前記第２の押圧位置検出手段が共に前記「ユーザーによる押圧の力」が加えられている位置を検出したとき、前記第１及び第２の押圧位置検出手段からの出力に基づいて、画面上に表示されている３次元空間の中で若しくは３次元画像に対してポインタ又はカーソルを画面の奥行き方向又は斜め奥行き方向へ移動させるなど、ポインタ又はカーソルを３次元的に移動させるためのポインタ制御手段と、
を備えたことを特徴とする、３次元ポインティング装置。
【請求項４】
画面上に表示されている３次元空間の中で若しくは３次元画像に対してポインタ又はカーソルを３次元的に移動させるための３次元ポインティング装置であって、
（１）ユーザーに近い側に位置する第１の面又は層上において「ユーザーによる押圧の力」が加えられている位置を検出するための第１の押圧位置検出手段と、
（２）前記第１の面又は層と略平行で且つ前記第１の面又は層よりも所定距離だけユーザーから離れる側もしくは装置の内部側に位置する第２の面又は層上において、前記「ユーザーによる押圧の力」が加えられている位置であって少なくとも前記第１の押圧位置検出手段により検出された押圧位置と異なる押圧位置を検出可能な第２の押圧位置検出手段と、
（３）前記第１の押圧位置検出手段が前記「ユーザーによる押圧の力」が加えられている位置を検出したが前記第２の押圧位置検出手段は前記「ユーザーによる押圧の力」が加えられている位置を検出していないとき、少なくとも前記第１の押圧位置検出手段からの出力に基づいて、ポインタ又はカーソルを画面上で２次元的に移動させるための第１の制御手段と、
（４）前記第１の押圧位置検出手段及び前記第２の押圧位置検出手段が共に前記「ユーザーによる押圧の力」が加えられている位置を検出したとき、画面上に表示されている３次元空間の中で若しくは３次元画像に対してポインタ又はカーソルを画面の奥行き方向又は斜め奥行き方向へ移動させるなど、ポインタ又はカーソルを３次元的に移動させるための第２の制御手段と、
を備えたことを特徴とする、３次元ポインティング装置。
【請求項５】
画面上に表示されている３次元空間の中で若しくは３次元画像に対してポインタ又はカーソルを３次元的に移動させるための３次元ポインティング装置であって、
（１）ユーザーに近い側に位置する第１の面又は層上において「ユーザーによる押圧の力」が加えられている位置を検出するための第１の押圧位置検出手段と、
（２）前記第１の面又は層と略平行で且つ前記第１の面又は層よりも所定距離だけユーザーから離れる側もしくは装置の内部側に位置する第２の面又は層上において、前記「ユーザーによる押圧の力」が加えられている位置であって少なくとも前記第１の押圧位置検出手段により検出された押圧位置と異なる押圧位置を検出可能な第２の押圧位置検出手段と、
（３）前記第１及び第２の押圧位置検出手段からの出力に基づいて、前記ユーザーによる押圧の方向を取得するための押圧方向取得手段と、
（４）前記押圧方向取得手段により取得された押圧方向に基づいて、画面上に表示されている３次元空間の中で若しくは３次元画像に対してポインタ又はカーソルを画面の奥行き方向又は斜め奥行き方向へ移動させるなど、ポインタ又はカーソルを３次元的に移動させるためのポインタ制御手段と、
を含むことを特徴とする３次元ポインティング装置。
【請求項６】
画面上に表示されている３次元空間の中で若しくは３次元画像に対してポインタ又はカーソルを３次元的に移動させるための３次元ポインティング装置であって、
（１）ユーザーに近い側に位置する第１の面又は層上において「ユーザーによる押圧の力」が加えられている位置を検出するための第１の押圧位置検出手段と、
（２）前記第１の面又は層と略平行で且つ前記第１の面又は層よりも所定距離だけユーザーから離れる側もしくは装置の内部側に位置する第２の面又は層上において、前記「ユーザーによる押圧の力」が加えられている位置であって少なくとも前記第１の押圧位置検出手段により検出された押圧位置と異なる押圧位置を検出可能な第２の押圧位置検出手段と、
（３）前記第１及び第２の押圧位置検出手段からの出力に基づいて、前記ユーザーによる押圧の方向を取得するための押圧方向取得手段と、
（４）前記押圧方向取得手段により取得された押圧方向に基づいて、画面上に表示されている３次元空間の中での若しくは３次元画像に対してのポインタ又はカーソルの３次元的な移動方向を求めるための移動方向取得手段と、
を含むことを特徴とする３次元ポインティング装置。
【請求項７】
請求項１又は２において、
前記第１の押圧検出手段及び前記第２の押圧検出手段は、それぞれが略シート状に形成されており、お互いが、直接に又は所定の物体を介して、重なるように配置されている、ことを特徴とする３次元ポインティング装置。
【請求項８】
請求項３，４，５又は６において、
前記第１の押圧位置検出手段及び前記第２の押圧位置検出手段は、それぞれが略シート状に形成されており、お互いが、直接に又は所定の物体を介して、重なるように配置されている、ことを特徴とする３次元ポインティング装置。
【請求項９】
請求項１から６までのいずれかにおいて、
ユーザーによる押圧の力の大きさを検出するための押圧力検出手段と、
前記押圧力検出手段により検出された押圧の力の大きさに基づいて、画面上に表示されている３次元空間の中での若しくは３次元画像に対してのポインタ又はカーソルの３次元的な移動の速度を制御するためのポインタ移動速度制御手段と、
を備えたことを特徴とする、３次元ポインティング装置。
【請求項１０】
請求項１から６までのいずれかにおいて、
ユーザーによる押圧の力の大きさを検出するための押圧力検出手段と、
前記押圧力検出手段により検出された押圧の力の大きさに基づいて、画面上に表示されている３次元空間の中での若しくは３次元画像に対してのポインタ又はカーソルの３次元的な移動の速度を求めるためのポインタ移動速度取得手段と、
を備えたことを特徴とする、３次元ポインティング装置。
【請求項１１】
請求項１から６までのいずれかにおいて、
ユーザーによる押圧の力の大きさを検出するための押圧力検出手段と、
前記押圧力検出手段により検出された押圧の力の大きさと前記ユーザーによる押圧が継続した時間とに基づいて、画面上に表示されている３次元空間の中での若しくは３次元画像に対してのポインタ又はカーソルの３次元的な移動量又は移動距離を求めるためのポインタ移動量取得手段と、
を備えたことを特徴とする、３次元ポインティング装置。